(57)【要約】      （修正有）【課題】各種分野における信号として用いることを可能とする信号用手袋を提供する。【解決手段】手袋形状の信号用手袋１であって、塗料１１が塗布されている。【選択図】図１
0003222905.tif 000002
【実用新案登録請求の範囲】
【請求項１】
手袋形状の信号用手袋であって、塗料が塗布されていることを特徴とする信号用手袋。
【請求項２】
各指にそれぞれ装着可能な指装着部同士の間にそれぞれ設けられる膜を備え、前記膜には前記塗料が塗布されていることを特徴とする請求項１に記載の信号用手袋。
【請求項３】
前記塗料は反射塗料であることを特徴とする請求項１又は２に記載の信号用手袋。
【請求項４】
前記塗料は蛍光塗料であることを特徴とする請求項１又は２に記載の信号用手袋。
【請求項５】
請求項１から４のいずれか１項に記載の信号用手袋と、前記信号用手袋と対称の形状であり、前記信号用手袋に塗布された塗料と異なる色の他の塗料が塗布されている、他の信号用手袋とを備えることを特徴とする信号用手袋セット。
【請求項６】
前記他の塗料は反射塗料であることを特徴とする請求項５に記載の信号用手袋セット。
【請求項７】
前記他の塗料は蛍光塗料であることを特徴とする請求項５に記載の信号用手袋セット。
【考案の詳細な説明】
【技術分野】
【０００１】
本考案は、信号用手袋、及び、信号用手袋セットに関するものである。
【背景技術】
【０００２】
例えば下記特許文献１に示すような従来の手袋は、周知のように、防寒、汚れ止め、怪我防止、滑り止め、あるいはファッションのために使用される。
【先行技術文献】
【特許文献】
【０００３】
【特許文献１】特表２０１８−５１４６５４号公報
【考案の概要】
【考案が解決しようとする課題】
【０００４】
本考案は、各種分野における信号として用いることを可能とする信号用手袋、及び、信号用手袋セットを提供することを目的とする。
【課題を解決するための手段】
【０００５】
上記課題を解決するための第１の考案に係る信号用手袋は、手袋形状の信号用手袋であって、塗料が塗布されていることを特徴とする。
【０００６】
上記課題を解決するための第２の考案に係る信号用手袋は、上記第１の考案に係る信号用手袋において、各指にそれぞれ装着可能な指装着部同士の間にそれぞれ設けられる膜を備え、前記膜には前記塗料が塗布されていることを特徴とする。
【０００７】
上記課題を解決するための第３の考案に係る信号用手袋は、上記第１又は２の考案に係る信号用手袋において、前記塗料は反射塗料であることを特徴とする。
【０００８】
上記課題を解決するための第４の考案に係る信号用手袋は、上記第１又は２の考案に係る信号用手袋において、前記塗料は蛍光塗料であることを特徴とする。
【０００９】
上記課題を解決するための第５の考案に係る信号用手袋セットは、上記第１から４のいずれか１つの考案に係る信号用手袋と、前記信号用手袋と対称の形状であり、前記信号用手袋に塗布された塗料と異なる色の他の塗料が塗布されている、他の信号用手袋とを備えることを特徴とする。
【００１０】
上記課題を解決するための第６の考案に係る信号用手袋セットは、上記第５の考案に係る信号用手袋セットにおいて、前記他の塗料は反射塗料であることを特徴とする。
【００１１】
上記課題を解決するための第７の考案に係る信号用手袋セットは、上記第５の考案に係る信号用手袋セットにおいて、前記他の塗料は蛍光塗料であることを特徴とする。
【考案の効果】
【００１２】
本考案に係る信号用手袋、及び、信号用手袋セットによれば、各種分野における信号として用いることが可能となる。
【図面の簡単な説明】
【００１３】
【図１】本考案の実施例１に係る信号用手袋の構成を説明する模式図である。
【図２】本考案の実施例２に係る信号用手袋の構成を説明する模式図である。
【図３】本考案の実施例３に係る信号用手袋セットの構成を説明する模式図である。
【考案を実施するための形態】
【００１４】
以下、本考案に係る信号用手袋、及び、信号用手袋セットについて、実施例にて図面を用いて説明する。
【００１５】
［実施例１］
図１に示す本実施例に係る信号用手袋（信号用手袋１）は、使用者の手に装着可能な手袋形状のものであり、全体に塗料（反射塗料あるいは蛍光塗料）１１が塗布されている。この塗料１１は例えば赤色とする。
【００１６】
使用者は、手に信号用手袋１を装着した状態で、その手を上下左右前後に動かすことにより、周囲の作業者に対して信号を送ることができる。具体的には、道路の交通整理における合図、港湾のクレーン作業における合図、建築／建設現場のレッカー／クレーン作業における合図、鉄道敷設内における合図、あるいは、駅ホーム内における合図等が挙げられる。
【００１７】
すなわち、信号用手袋１は、塗料１１が塗布されていることで周囲から視認しやすく、特に夜間であっても視認可能となるため、使用者の手に装着することで、各種分野における信号に用いることができる。
【００１８】
［実施例２］
本実施例に係る信号用手袋は、実施例１に係る信号用手袋１の構成に加え、「膜」を備えるものである。
【００１９】
図２に示す本実施例に係る信号用手袋（信号用手袋２）は、図１の信号用手袋１における、各指にそれぞれ装着可能な指装着部２１〜２５間に、それぞれ膜４１〜４４が架設されている。
【００２０】
この点について詳述する。まず、信号用手袋１の各指装着部２１〜２５において、互いに隣の指装着部側を向く面を「側面」２１ａ〜２５ａと呼称するものとし、信号用手袋１において、指の付け根（各指同士の間を広げたときに伸びる、各基節骨の根元同士の間の皮あたり）を覆う部分を「付け根被覆端部」３１〜３４とする。
【００２１】
すると、信号用手袋２における各膜４１〜４４の内側端部４１ａ〜４４ａは、側面２１ａ〜２５ａ、及び、付け根被覆端部３１〜３４に、それぞれ固定されている。
【００２２】
そして、各膜４１〜４４は可撓性を有し伸縮自在な材質である。さらに、この膜４１〜４４にも実施例１で使用した塗料１１が塗布されている。
【００２３】
このようにして信号用手袋２は、膜４１〜４４を備えることで、実施例１に係る信号用手袋１に比べ塗料１１が塗布された面積が増加するため、周囲からさらに視認しやすくなる。
【００２４】
［実施例３］
図３に示す本実施例に係る信号用手袋セットは、一対の手袋からなり、そのうち一方を、実施例１（あるいは２）に係る信号用手袋１（あるいは２）とする。
【００２５】
また他方は、信号用手袋１（あるいは２）と対称の形状であり、信号用手袋１（あるいは２）に塗布された塗料と異なる色の塗料１２が全体に塗布されている信号用手袋３とする。ただし、この塗料１２は、反射塗料あるいは蛍光塗料であり、例えば白色とする。
【００２６】
使用者は、本実施例に係る信号用手袋セットを両手に装着した状態で、その両手を上下左右前後に動かすことにより、実施例１同様、周囲の作業者に対して信号を送ることができる。
【００２７】
また、本実施例に係る信号用手袋セットは、左右の手袋の色が異なるため、実施例１，２に比べ、より細かい指示内容の信号を出すことができる。
【００２８】
例えば鉄道敷設時においては、従来、赤白の手旗を用いて合図を出していたが、この方法だと、両手の掌（特に指）が空かない為、危険が生じた場合に即座に対応することができない。
【００２９】
一方、本実施例に係る信号用手袋セットを用いれば、掌が空いているので、敷設位置が高所あるいは鉄橋内等、足場の不安定な場所でも、自身の安全を確保しながら合図を出すことができる。
【００３０】
なおこの点については、上記実施例１，２に係る信号用手袋を片手のみに装着した場合であっても、Ｇｏ／Ｓｔｏｐの信号を送ることができるため、やはり自身の安全を確保しながら合図を出すことができる。
【産業上の利用可能性】
【００３１】
本考案は、信号用手袋、及び、信号用手袋セットとして好適である。
【符号の説明】
【００３２】
１〜３  信号用手袋
１１，１２  塗料
２１〜２５  指装着部
２１ａ〜２５ａ  側面
３１〜３４  付け根被覆端部
４１〜４４  膜
４１ａ〜４４ａ  内側端部
【図１】
0003222905.tif 000003
【図２】
0003222905.tif 000004
【図３】
0003222905.tif 000005